(57)【要約】【課題】軸流ファンのファンガードのフロントガードを２０ニュートンの力で前方向に引っ張ってもフロントガードがサイドガードから外れないようにする。【解決手段】羽根１０の正面側を被覆するフロントガード１２と、羽根１０の側面側を被覆するサイドガード１４と、羽根１０の背面側を被覆するバックガード１６とからなるファンガードにおいて、フロントガード１２を所定の方向に回転させてフロントガード１２をサイドガード１４に対して所定の角度位置にしたとき、フロントガード１２の可動側吸着体２８とサイドガード１４の固定側吸着体２４を吸着結合させて角度位置を保持させるとともに、フロントガード１２の可動側係合部材２６とサイドガード１４の固定側係合部材２２を係合させるようにした。【選択図】図７
2014190211.tif 000002
【特許請求の範囲】
【請求項１】
軸流ファンの羽根の正面側を被覆するフロントガードと、該羽根の側面側を被覆するサイドガードと、該羽根の背面側を被覆するバックガードと、該サイドガードに該フロントガードを着脱可能に連結する２以上の連結機構とから構成され、該連結機構は、サイドガードに設けられた固定側連結機構と、フロントガードに設けられた可動側連結機構とからなり、該固定側連結機構は固定側係合部材と固定側吸着体とからなり、該可動側連結機構は可動側係合部材と可動側吸着体とからなり、該固定側吸着体と該可動側吸着体の少なくとも一方は永久磁石、他方は永久磁石又は鉄材からなり、該フロントガードを所定の周方向に回転させて該フロントガードが該サイドガードに対して所定の角度位置になったときに、該可動側係合部材が固定側係合部材に係合し、且つ該可動側吸着体と該固定側吸着体が重なり合う位置関係になっていることを特徴とする軸流ファンのファンガード。
【請求項２】
前記固定側連結機構が前記サイドガードの正面側の周縁近傍に設けられ、前記可動側連結機構が前記フロントガードの裏面側の周縁近傍に設けられていることを特徴とする請求項１に記載の軸流ファンのファンガード。
【請求項３】
前記可動側係合部材が前記固定側係合部材に前記所定の周方向と前記フロントガードの正面方向に移動することを阻止するように係合していることを特徴とする請求項１又は２に記載の軸流ファンのファンガード。
【請求項４】
前記所定の周方向が時計回りの方向又は反時計回りの方向であることを特徴とする請求項１〜３のいずれかに記載の軸流ファンのファンガード。
【請求項５】
前記フロントガードの裏面側の周縁近傍に、該フロントガードを前記所定の方向と逆の方向に回転させると前記サイドガードの固定側係合部材に当接して該フロントガードを押し出す押出用リブが設けられていることを特徴とする請求項１〜４のいずれかに記載の軸流ファンのファンガード。
【請求項６】
前記サイドガードの正面側の周縁近傍に、前記フロントガードを前記所定の方向と逆の方向に回転させると該フロントガードの可動側係合部材に当接して該フロントガードを押し出す押出用リブが設けられていることを特徴とする請求項１〜４のいずれかに記載の軸流ファンのファンガード。
【請求項７】
前記可動側吸着体が前記可動側係合部材の近傍に設けられ、前記固定側吸着体が前記固定側係合部材の近傍に設けられていることを特徴とする請求項１〜６のいずれかに記載の軸流ファンのファンガード。
【請求項８】
前記フロントガードは円盤状になっており、前記サイドガードはリング状になっていて、該フロントガードの外径は該サイドガードの内径と略等しく、該フロントガードは該サイドガードの正面側に同軸に嵌合可能になっていることを特徴とする請求項１〜７のいずれかに記載の軸流ファンのファンガード。
【請求項９】
前記永久磁石がネオジム磁石であることを特徴とする請求項１〜８のいずれかに記載の軸流ファンのファンガード。
【発明の詳細な説明】
【技術分野】
【０００１】
本発明は、回転する羽根に触れて怪我をしないように羽根を囲む軸流ファンのファンガードに関するものである。
【背景技術】
【０００２】
図９は従来のファンガードのフロントガードの一例の裏面側を示す説明図、図１０はフロントガードを外した従来のファンガード及び羽根の一例を示す説明図である。従来のファンガードは、これらの図に示すように、羽根１０の正面側を被覆するフロントガード１２と、羽根１０の側面側を被覆するサイドガード１４と、羽根１０の背面側を被覆するバックガード１６と、サイドガード１４にフロントガード１２を着脱可能に連結する２以上の連結機構（後述）とから構成されている。
【０００３】
ここで、フロントガード１２は放射状に延びる多数の骨材をリング状の骨材で支持して形成した円盤状のものからなり、骨材の間には風を通すための多数の隙間が形成されている。サイドガード１４はリング状のものからなり、風を取り入れるための多数のスリットが平行に形成されている。サイドガード１４の正面側の周縁の内径はフロントガード１２の外径と略等しく、フロントガード１２はサイドガード１４の縁部の内側に嵌合可能になっている。サイドガード１４とバックガード１６は一体的に形成されている。
【０００４】
前記連結機構は、サイドガード１４に設けられた固定側吸着体２４と、フロントガード１２に設けられた可動側吸着体２８とからなる。固定側吸着体２４はサイドガード１４の正面側の周縁の内側に正面側を向けて略均等角度で５個設けられ、可動側吸着体２８はフロントガード１２の裏面側の周縁近傍に略均等角度で５個設けられている。固定側吸着体２４と可動側吸着体２８は永久磁石（ネオジム磁石）からなる。
【０００５】
固定側吸着体２４と可動側吸着体２８はいずれも略均等角度で５個設けられているので、図１１に示すように、サイドガード１４の正面側の周縁にフロントガード１２を嵌合させ、図１２に示すように、フロントガード１２の角度位置を調整して、フロントガード１２の可動側吸着体２８をサイドガード１４の固定側吸着体２４に合わせて重ねると、他の固定側吸着体２４と可動側吸着体２８も重なり合い、フロントガード１２は固定側吸着体２４と可動側吸着体２８とによりサイドガード１４に強固に連結される。
【０００６】
このように、フロントガード１２は、固定側吸着体２４と可動側吸着体２８によってサイドガード１４に５カ所で強力に連結されているので、通常の使用状態では外れることはないが、外す必要がある場合は、図１３に示すように、固定側吸着体２４と可動側吸着体２８の吸着力以上の力でフロントガード１２を正面側に強力に引っ張ると、フロントガード１２はサイドガード１４の周縁から取り外すことができる。
【０００７】
ところで、上述した軸流ファンのフロントガード１２は、羽根１０の掃除や軸流ファンの分解・保管などのために、工具を使わずに、簡単に取り外せる構造になっているのが好ましい。ただ、フロントガード１２が簡単に外れると安全面で懸念がある。また、家庭用及びこれに類する電気機器の安全に関する国際基準(IEC 60335)をクリアするには、正面から２０ニュートンの力で引っ張ってもフロントガード１２が外れない構造ないし強度を有している必要がある。また、部品点数は少ない方が良く、作りもシンプルなのが理想的である。
【先行技術文献】
【特許文献】
【０００８】
【特許文献１】特開平１１−１０７９９３号公報
【発明の概要】
【発明が解決しようとする課題】
【０００９】
本発明が解決しようとする課題は、軸流ファンのファンガードのフロントガードを２０ニュートンの力で前方向に引っ張ってもフロントガードがサイドガードから外れないようにする点である。
【課題を解決するための手段】
【００１０】
本発明は、軸流ファンの羽根の正面側を被覆するフロントガードと、該羽根の側面側を被覆するサイドガードと、該羽根の背面側を被覆するバックガードとからなるファンガードにおいて、該フロントガードを所定の方向に回転させて該フロントガードを該サイドガードに対して所定の角度位置にしたとき、該フロントガードの可動側吸着体と該サイドガードの固定側吸着体を吸着結合させて角度位置を保持させるとともに、該フロントガードの可動側係合部材と該サイドガードの固定側係合部材を係合させて該サイドガードに該フロントガードを強固に連結させるようにしたことを最も主要な特徴とする。
【発明の効果】
【００１１】
本発明のファンガードは、前記フロントガードが可動側係合部材を備え、前記サイドガードが固定側係合部材を備え、該フロントガードを所定の周方向に回転させて該フロントガードが該サイドガードに対して所定の角度位置になったときに、該可動側係合部材が固定側係合部材に係合する位置関係になっているので、該フロントガードを所定の方向に回転させて該フロントガードをサイドガードに対して所定の角度位置にしたとき、該可動側係合部材と該固定側係合部材が係合し、該フロントガードが正面方向に２０ニュートン以上の強い力で引っ張られても外れることはないという利点がある。
【００１２】
また、本発明のファンガードは、前記フロントガードを所定の周方向に回転させて該フロントガードが前記サイドガードに対して所定の角度位置になったときに、前記可動側係合部材が前記固定側係合部材に係合し、且つ前記可動側吸着体と前記固定側吸着体が重なり合う位置関係になっているので、該固定側係合部材に該可動側係合部材が係合している場合は該固定側吸着体に該可動側吸着体が吸着し、該可動側係合部材と該固定側係合部材の係合状態が保持され、不測の事態により該可動側係合部材が前記所定の方向と反対の方向に回転して、該可動側係合部材が該固定側係合部材から外れ、前記フロントガードが前記サイドガードから外れる事態を生ずるおそれがないという利点がある。
【００１３】
また、本発明のファンガードは、前記フロントガードを所定の周方向に回転させて該フロントガードが前記サイドガードに対して所定の角度位置になったときに、前記可動側係合部材が前記固定側係合部材に係合し、且つ前記可動側吸着体と前記固定側吸着体が重なり合う位置関係になっているので、該フロントガードを該固定側吸着体と該可動側吸着体の吸着力以上の力で前記所定の方向と逆の方向に強制的に回転させると、該可動側吸着体と該固定側吸着体の吸着が外れ、該固定側係合部材に対する該可動側係合部材の係合が外れるので、該フロントガードを該サイドガードから容易に外すことができるという利点がある。
【００１４】
また、本発明のファンガードは、該フロントガードを前記所定の方向と逆の方向に回転させると固定側係合部材又は可動側係合部材に当接してフロントガードを押し出す押出用リブがフロントガード又はサイドガードに設けられているので、フロントガードを前記所定の方向と逆の方向に回転させると、フロントガードがサイドガードから前方に少しせり出され、フロントガードをサイドガードから容易に外すことができるという利点がある。
【図面の簡単な説明】
【００１５】
【図１】図１は本発明に係るファンガードのフロントガードの一例の裏面側を示す説明図である。
【図２】図２は図１の要部拡大斜視図である。
【図３】図３はフロントガードを外した本発明に係るファンガード及びファンの一例の説明図である。
【図４】図４は図３の要部拡大斜視図である。
【図５】図５は本発明に係るファンガードのフロントガードを取り付ける様子を示す説明図である。
【図６】図６は本発明に係るファンガードのフロントガードを取り付ける様子を示す他の説明図である。
【図７】図７は本発明に係るファンガードの連結機構の説明図である。
【図８】図８はファンガードが正面側に引っ張られている状態を示す本発明に係るファンガードの説明図である。
【図９】図９は従来のファンガードのフロントガードの一例の裏面側を示す説明図である。
【図１０】図１０はフロントガードを外した従来のファンガード及びファンの一例を示す説明図である。
【図１１】図１１は従来のファンガードのフロントガードを取り付ける様子を示す説明図である。
【図１２】図１２は従来のファンガードのフロントガードの可動側吸着体とサイドガードの固定側吸着体との位置関係を示す説明図である。
【図１３】図１３は従来のファンガードからフロントガードを取り外す様子を示す説明図である。
【発明を実施するための形態】
【００１６】
軸流ファンのフロントガードを２０ニュートンの力で前方向に引っ張ってもフロントガードがサイドガードから外れないようにするという目的を、最小の部品点数で、軸流ファンの形状を損なわずに実現した。
【実施例１】
【００１７】
図１は本発明に係るファンガードのフロントガードの一例の裏面側を示す説明図、図２は図１の要部拡大斜視図、図３はフロントガードを外した本発明に係るファンガード及びファンの一例の説明図、図４は図３の要部拡大斜視図である。本発明に係るファンガードは、これらの図に示すように、羽根１０の正面側を被覆するフロントガード１２と、羽根１０の周囲を被覆するサイドガード１４と、羽根１０の背面側を被覆するバックガード１６と、フロントガード１２とサイドガード１４を着脱可能に連結する連結機構（後述）とから構成されている。
【００１８】
ここで、フロントガード１２は放射状に延びた多数の棒状の骨材をリング状の骨材で支持して形成した円盤状のものからなり、骨材の間には風を通すための多数の隙間が形成されている。サイドガード１４はリング状のものからなり、風を取り入れるための多数の平行なスリットが形成されている。サイドガード１４の正面側の周縁の内径はフロントガード１２の外径と略等しく、フロントガード１２はサイドガード１４の縁部の内側に嵌合可能になっている。サイドガード１４とバックガード１６は一体的に形成されている。
【００１９】
前記連結機構は、サイドガード１４に設けられた固定側連結機構１８と、フロントガード１２に設けられた可動側連結機構２０とからなる。固定側連結機構１８はサイドガード１４の正面側の周縁の内側に略均等角度で５個設けられ、可動側連結機構２０はフロントガード１２の裏面側の周縁近傍に略均等角度で５個設けられている。固定側連結機構１８と可動側連結機構２０は所定の角度位置で重なり合う位置関係にある。
【００２０】
固定側連結機構１８は、サイドガード１４の内側に向けてサイドガード１４から延長形成され固定側係合部材２２と、固定側係合部材２２に取り付けられた固定側吸着体２４とからなる。固定側係合部材２２は固定側吸着体２４を取り付ける吸着体取付部２２ａと、吸着体取付部２２ａの先に延長形成された固定側係合片２２ｂとからなる。固定側係合片２２ｂは、サイドガード１４の内面に対して略直角になっており、サイドガード１４にフロントガード１２を取り付けた状態で、フロントガード１２の裏面に対して略平行になっている。
【００２１】
可動側連結機構２０はフロントガード１２の裏面から延長形成された可動側係合部材２６と、可動側係合部材２６の時計回り側の隣に設けられた可動側吸着体２８と、可動側吸着体２８の時計回り側の隣に設けられた押出用リブ３０とからなる。可動側係合部材２６はフロントガード１２の裏面から立ち上がり形成された立上部２６ａと、立上部２６ａの先に延長形成された可動側係合片２６ｂとからなる。可動側係合片２６ｂは、フロントガード１２の裏面から所定間隔をおいて、フロントガード１２の裏面に対して略平行に設けられている。
【００２２】
押出用リブ３０はフロントガード１２の裏面にフロントガード１２の周縁に沿って立ち上がり形成されている。押出用リブ３０の時計回り側の端側と反時計回り側の端部は緩やかに傾斜している。押出用リブ３０は、この例ではフロントガード１２に設けられているが、サイドガード１４に設けてもよい。
【００２３】
可動側係合片２６ｂと固定側係合片２２ｂは軸流ファンの回転軸から略同一の半径上に位置している。サイドガード１４にフロントガード１２を嵌合させた状態で、可動側係合片２６ｂは固定側係合片２２ｂよりフロントガード１２から離れている。換言すれば、サイドガード１４にフロントガード１２を嵌合させた状態で、固定側係合片２２ｂは可動側係合片２６ｂよりフロントガード１２に近い。
【００２４】
固定側吸着体２４と可動側吸着体２８は軸流ファンの回転軸から略同一の半径上に位置している。固定側吸着体２４と可動側吸着体２８は、サイドガード１４にフロントガード１２を嵌合させた状態で、所定の角度位置において重なり合う位置関係にある。固定側吸着体２４と可動側吸着体２８はいずれも永久磁石（ネオジム磁石）からなるが、固定側吸着体２４と可動側吸着体２８の少なくとも一方は永久磁石、他方は永久磁石又は鉄材としてもよい。
【００２５】
次に、フロントガードの取り付け方法と取り外し方法について図５〜図８を参照しながら説明する。
【００２６】
まず、フロントガードの取り付け方法であるが、図５及び図６に示すように、サイドガード１４の正面側の周縁にフロントガード１２の周縁を合わせて嵌合させ、図６の矢印２に示すように、フロントガードを時計回りに回転させる。固定側係合部材２２と可動側係合部材２６はいずれも５個、略均等角度で設けられ、且つ所定の角度位置で係合可能な関係になっているので、所定の角度位置で、図７に示すように、フロントガード１２の裏面と可動側係合片２６ｂとの間の隙間に固定側係合片２２ｂが入り、固定側係合片２２ｂと可動側係合片２６ｂが重なり合い、固定側係合部材２２と可動側係合部材２６が係合する。
【００２７】
固定側吸着体２４と可動側吸着体２８も、固定側係合部材２２と可動側係合部材２６と同様、いずれも略均等角度で５個設けられ、且つ所定の角度位置で重合可能な位置関係になっているので、図７に示すように、固定側係合部材２２及び可動側係合部材２６と同じ角度位置で吸着し、固定側係合部材２２と可動側係合部材２６の角度位置が保持され、固定側係合部材２２と可動側係合部材２６の係合状態が保持される。
【００２８】
固定側係合部材２２と可動側係合部材２６が係合し、固定側吸着体２４と可動側吸着体２８が吸着している状態で、フロントガード１２を、図８の矢印に示すように、正面側に引っ張っても、固定側係合部材２２と可動側係合部材２６は強固に係合し、且つ固定側吸着体２４と可動側吸着体２８が強い磁力で吸着しているので、２０ニュートン程度の力ではサイドガード１４の周縁からフロントガード１２を取り外すことはできない。
【００２９】
次に、フロントガードの取り外し方法であるが、フロントガード１２を、可動側吸着体２８と固定側吸着体２４の吸着力以上の力で反時計回りの方向に力を加えると、可動側吸着体２８と固定側吸着体２４の吸着が外れ、フロントガード１２は反時計回りの方向に回転し、固定側係合部材２２と可動側係合部材２６の係合が外れる。そして、更に反時計回りの方向に回転させると、フロントガード１２の押出用リブ３０が固定側係合部材２２の固定側係合片２２ｂに押され、フロントガード１２が前方にせり出し、フロントガード１２の周縁がサイドガード１４の周縁から外れ、フロントガード１２がサイドガード１４から取り外し可能となる。
【符号の説明】
【００３０】
１０  羽根
１２  フロントガード
１４  サイドガード
１６  バックガード
１８  固定側連結機構
２０  可動側連結機構
２２  固定側係合部材
２２ａ  吸着体取付部
２２ｂ  固定側係合片
２４  固定側吸着体
２６  可動側係合部材
２６ａ  立上部
２６ｂ  可動側係合片
２８  可動側吸着体
３０  押出用リブ
【図１】
2014190211.tif 000003
【図２】
2014190211.tif 000004
【図３】
2014190211.tif 000005
【図４】
2014190211.tif 000006
【図５】
2014190211.tif 000007
【図６】
2014190211.tif 000008
【図７】
2014190211.tif 000009
【図８】
2014190211.tif 000010
【図９】
2014190211.tif 000011
【図１０】
2014190211.tif 000012
【図１１】
2014190211.tif 000013
【図１２】
2014190211.tif 000014
【図１３】
2014190211.tif 000015